(57)【特許請求の範囲】
【請求項１】
アナログ表示式時計であって、
計時情報を表示するための２つの針（ＭＮ、Ｈ）を備え、それらの２つの針は２つのステップモータ（１８、２９）によりそれぞれ駆動され、
ステップモータを制御する制御手段を備え、
文字盤の周囲に配置された位置センサ（５１〜６２）を備え、それらの位置センサは、時間表示部における表示をそれぞれ含むように時計上で定められた扇形部分に対応させられ、それらの扇形部分それぞれには数字または記号で表されるデジタル情報の１つが割り当てられ、前記位置センサそれぞれの作動によって前記デジタル情報の選択を行うことができ、
選択されたデジタル情報を入力するための入力手段(36, 40)を備え、
前記デジタル情報の処理手段（２２）を備え、
前記制御手段は、情報の入力のモードでは、２つの針を重ねてその重ね合わさった２つの針でもって作動した位置センサ（５１〜６２）に対応した扇形部分が指し示されるように２つの針を制御し、それにより前記デジタル情報の選択を確認できるようにされていることを特徴とするアナログ表示式時計。
【請求項２】
アナログ表示式時計であって、
計時情報を表示するための２つの針（ＭＮ、Ｈ）を備え、それらの２つの針は２つのステップモータ（１８、２９）によりそれぞれ駆動され、
ステップモータを制御する制御手段を備え、
ガラスに配置された位置センサ（５１〜６２）を備え、それらの位置センサは、時間表示部における表示をそれぞれ含むように時計上で定められた扇形部分に対応させられ、それらの扇形部分それぞれには数字または記号で表されるデジタル情報の１つが割り当てられ、前記位置センサそれぞれの作動によって前記デジタル情報の選択を行うことができ、
選択されたデジタル情報を入力するための入力手段(36, 40)を備え、
前記デジタル情報の処理手段（２２）を備え、
前記制御手段は、情報の入力のモードでは、２つの針を重ねてその重ね合わさった２つの針でもって作動した位置センサ（５１〜６２）に対応した扇形部分が指し示されるように２つの針を制御し、それにより前記デジタル情報の選択を確認できるようにされている
ことを特徴とするアナログ表示式時計。
【発明の詳細な説明】
【０００１】
【発明が属する技術分野】
本発明は、所定のデジタル情報を選択できるように設けられた位置センサと、各選択されたデジタル情報の入力手段と、前記デジタル情報を処理する手段とを備えたアナログ表示式時計に関するものである。本発明は、計算機や、電話番号を組み込むシステムや、デジタル情報の選択及び入力を必要とする他の装置を備えた腕時計に使用することができる。従って、本発明をこれらの特定の用例の１つに関連して説明するが、本発明がその用例に制限されることはないことを理解されたい。
【０００２】
【従来の技術】
外周に沿って位置センサを設けたアナログ表示式腕時計は従来より公知である。そのような装置は、時間表示と共に、計算機等の非計時装置を有する腕時計のような場合に使用される。この場合、数字の０〜９及び演算子ｘ、÷、＋、−、＝に対応したデジタル情報を選択して入力するために、位置センサを用いる。各位置センサは個々のデジタル情報に対応している。例えば、位置センサの表面に圧力を加えるて作動させることで、ユーザはそのセンサに対応した数字または演算子を選択することができる。その後、このデジタル情報を入力して、計算機の一部を形成している処理回路によって処理することができる。処理の結果は、腕時計に組み込まれている液晶ディスプレイによって表示される。
【０００３】
【発明が解決しようとする課題】
本発明の目的は、操作が簡単で間違いの危険がないことをユーザに保証できるように、デジタル情報をはっきり読みやすく理解しやすく選択できる位置センサを備えたアナログ表示式時計を提供することである。
本発明の別の目的は、構造及び作動が簡単な位置センサを含むアナログ表示式時計を提供することである。
本発明のさらに別の目的は、信頼性が高く、低コストで、これらの位置センサによって選択された１つまたは幾つかのデジタル情報を処理することができる時計を提供することである。
【０００４】
【課題を解決するための手段】
本発明によるアナログ表示式時計は、時間情報表示針を駆動するステップモータと、ステップモータを制御する手段と、時計上に定められた扇形部分内に設けられて、それぞれの作動によって所定のデジタル情報を選択することができる位置センサと、前記選択デジタル情報を入力する手段と、デジタル情報を処理する手段とを有しており、前記制御手段によって、前記デジタル情報の選択を確認できるように、前記針が、前記作動した位置センサに対応した扇形部分を指し示すように駆動されることを特徴としている。
【０００５】
これらの特徴によって、本発明は、ユーザが選択されたデジタル情報をわかりやすく簡単なやり方で視覚的に確認できるようにし、また操作を簡単にする位置センサを備えた時計を実現することができる。
【０００６】
１つの実施態様によれば、位置センサは時計の従来型時間表示部の表示に対応した位置に配置されている。
本発明の別の実施態様によれば、位置センサは１時から９時までの表示部に対応した位置に配置されて、それぞれ数字の１〜９を選択できるようにしている。
本発明の他の特徴及び利点は、添付の図面を参照にして一例として挙げられた以下の説明から明らかになるであろう。
【０００７】
【発明の実施の形態】
図１は、本発明の好適な実施形態の時計、例えば腕時計の概略的な回路図である。
図１に示されているように、本発明による時計は、水晶発振器２、１ヘルツ信号を発生する周波数分周器４、秒カウンタ６及び分針位置カウンタ８を直列に接続している。
時計はさらに、秒針の位置カウンタ６から信号を受け取る１２分周器１０と、時針位置カウンタ１２とを備えており、時針位置カウンタ１２の入力部は分周器１０の出力部に接続している。カウンタ６、８及び１２は、図２に作動モードが概略的に示されている６０カウンタである。
【０００８】
パルスが図２に示されているようにカウンタへ送られる（図面の左側の矢印）。これらの連続パルスは、少なくとも６ビットの２進レジスタによって数えられて、値が増加する。このレジスタの状態は、いつでも読むことができる（図面の下側の矢印）。増分する毎に、レジスタは回路でテストされて、その内容の値が６０であるかが調べられる。そうである場合、テスト回路からパルスが発生して、このパルスによってレジスタがリセットされる。このため、テスト回路は６０分周器を構成しており、その信号を、カウンタ６、８または１２である別のカウンタへ送ることもできる（図面の右側の矢印）。
【０００９】
カウンタ８及び１２（図１）は、通常の作動モードで、すなわち通常の計時モードでは、時計の周囲に沿った分針及び時針の、６０段階に従って定められた位置を表す。この秒カウンタは、他のカウンタ８及び１２を適当な方法で増分できる周波数を備えた信号を発生するだけである。
【００１０】
この時計にはさらに、それぞれ電源回路１４及び１６によって独立的に制御されて、それぞれ分針ＭＮ及び時針Ｈ（図３）を駆動する２つのモータ１８及び２０が設けられている。
通常の計時モードでは、回路１４及び１６は、それぞれ分針及び時針の位置カウンタ８及び１２の入力部へ送られるパルスを受け取る。
本時計のモータ及び歯車列の位置についてはここでは説明しない。事実、針を個別に作動させるために幾つかのモータを備えた時計ムーブメントはすでに公知である。特にヨーロッパ特許第０，３９３，６０６号は、分針及び時針を独立的に駆動できる２つのモータを有する時計ムーブメントを説明している。
【００１１】
以上に記載した要素は、この実質的にアナログ式の時計の通常の時間表示に関する作動を説明している。しかし、本発明によれば、上記のアナログ式時計は、デジタル情報の選択、入力及び処理にも、さらに時計に組み込まれた非計時装置の作動の制御にも使用できる。
【００１２】
以下に説明する図１の素子は、これらの特殊な機能を実行することができる。
図１に示されているように、本発明による時計は、様々な時間表示機能を実行できるようにステップモータを制御する手段２４と、時計が１つまたは幾つかのデジタル情報の処理機能を実行できるようにデジタル情報を処理する手段２６とを備えた電子制御手段２２を有している。制御手段２４は、分針及び時針の位置についてのカウンタ８及び１２の内容を受け取る入力部ＭＮ及びＨと、２つの起動入力部ＡＮ及びＥＮと、それぞれ正方向及び逆方向の針の移動に対するデータ用の２つの入力部Ｄ＋、Ｄ−とを備えている。
入力部ＡＮ、ＥＮ、Ｄ＋及びＤ−へ送られる信号は、図３に示されている制御ピンＴの位置及び変位を解釈する回路２８によって供給される。制御ピンＴ及び解釈回路２８は当業者には公知であるため、これらの作動についてここでは詳細に説明しない。特に、ヨーロッパ特許第０，１７５，９６１号が、ここに記載した時計に容易に適用できる解釈回路に関連した制御ピンを説明している。
【００１３】
制御手段２４にはさらに、モータ１８及び２０へパルスを送る２つの出力部Ｍｍｎ及びＭｈと、電源回路１４、１６の入力部に位置する２つの切換器３０、３２の状態を制御する制御出力部Ｃとが設けられており、切換器は、図１においてａで示されている第１位置にある時には分針及び時針の位置カウンタ８及び１２の入力部へ送られたパルスを、また第２位置ｂにある時には制御手段２２から送られたパルスを電源回路１４、１６へ送る。
【００１４】
電子制御手段２２は、プログラムされたマイクロコンピュータを構成する集積回路の形で実現するのが好都合である。当業者であれば、ここに示した説明から、上記機能を実施できるようにするためにはマイクロコンピュータのプログラミングをどのようにすればよいかが分かるであろう。
【００１５】
通常の計時表示モードでは、制御手段は不作動状態にあり、モータ１８及び２０は、それぞれ分針及び時針の位置カウンタ８及び１２の入力部へ加えられるパルスを受け取る。
【００１６】
次に図３を参照しながら、本発明に従った時計の実施形態、及び特に非時計的タスクにおいて電子制御手段２２によって処理されるデジタル情報の選択及び入力を行うことができる手段を説明する。
時計１は、従来通りに、ケースＢと、ここでは龍頭だけが示されている制御ピンＴとを備えている。
【００１７】
時計１はさらに文字盤Ｃを備えており、文字盤Ｃの周囲に時計回り方向に０（従来の１２時の位置）から９までの表示を含む従来型時間表示部（参照番号無し）が設けられている。また、時計１には、第１針、ここでは時針Ｈと、第２針、ここでは分針ＭＮとが設けられている。
【００１８】
さらに、時計１は位置センサ５１〜６２を備えている。時計１のユーザの指を位置センサ５１〜６２の１つの上に載せると、このセンサによって信号がデジタル情報処理手段２６へ送られる。この形式のセンサは、当業者には公知であるから、位置センサ５１〜６２の構造及び作動の詳細についてはここでは詳しく説明しない。スイス特許第６２３，１９５号が、ここに記載した時計に使用できるように容易に適合させることができる時計に関連した容量性センサについて記載している。
【００１９】
図３に示されているように、位置センサ５１〜６２は、それぞれ時計１上に定められた扇形部分Ｓ１〜Ｓ１２内に設けられている。この例では、位置センサ５１〜６２は、従来型時間表示部の表示に対応した位置にある。
文字盤Ｃは、それぞれ従来型時間表示部の１２時（０マーク）〜９時に対応した位置に０〜９の表示を備えている。さらに、文字盤Ｃは、従来型時計表示部の１０時の表示に対応した表示＋及び−と、従来型時計表示部の１１時の表示に対応した表示ｘ及び÷とを備えている。
【００２０】
時計１はさらに、従来通りにピンＴの両側に２つの押しボタンＰＳ１及びＰＳ２を備えている。
また、時計１は、デジタル情報を表示する表示装置ＡＦを備えている。表示装置ＡＦは、例えば液晶ディスプレイの形で実現することができる。
図示の例では、位置センサ５１及び６２は、時計ケースＢ上に文字盤Ｃを取り囲むようにして、制限的ではないが、ガラス上に、好ましくは固定して好都合に設けられている。位置センサ５１〜６２はまた、図示しないガラス上か、時計１の他の位置に設けることもできる。
【００２１】
図４及び５の表または流れ図は、本発明による時計によって実施できる様々な機能を表す１０の図面または段階（Ａ〜Ｊ）を含んでいる。
【００２２】
時間の設定
上記の素子は、針で表示されている時間を修正できる（図４の表の段階Ｂに対応する）。
時計が（段階Ａに示されている）通常の時間表示モードにある時、時間修正機能は、ピンを引くことによって起動する（段階Ｂ）。ピンが外向きに変位することによって、解釈回路２８（図１）からモータ制御手段２４の入力部ＥＮへ信号が送られる。この信号をモータ制御手段２４が受け取ると、切換器３０及び３２が状態ｂになる。同時に、モータの制御手段２４は、この秒カウンタ６のリセット線に高レベル信号を送って、その内容をゼロに維持して、それぞれ分針及び時針の位置カウンタ８及び１２へ増分信号を送らないようにする。
【００２３】
次に、解釈回路２８が、ユーザがピンに加える部分的な様々な回転移動に対応したパルスをモータ制御手段２４の入力部Ｄ＋、Ｄ−へ送ると、この手段から、分針及び時針の位置カウンタ８及び１０を増加または減少させる制御パルス、及び針を変位させるためにモータ１８、２０を同時に制御する制御パルスが発生する。時間修正作業の終了時に、ピンを押す（段階Ａ）と、解釈回路２８が消勢信号をモータ制御手段２４へ送ることによって、その出力部Ｃから信号が発生して、切換器３０、３２が状態ａになる。同時に、リセット線上の信号がゼロに戻って、秒カウンタ６が再始動する。
【００２４】
デジタル情報処理モード
前述したように、上記時計は、処理機能と呼ばれる補助機能を実施するためのものである。
このため、デジタル情報処理手段２６は、位置センサ５１〜６２の出力信号を受け取る入力部ＣＰと、２つの入力部Ｐ１及びＰ２とを備えている。入力部Ｐ１及びＰ２に加えられる信号は、押しボタンＰＳ１及びＰＳ２のそれぞれの変位時に第２解釈手段３４で発生する。
【００２５】
ユーザが指を位置センサ５１〜６２の１つの上に載せると、高レベルの信号がデジタル情報処理手段２６へ送られる。他の位置センサの出力部に現れる信号は低レベルである。このため、位置センサ５１〜６２の出力信号は、入力部ＣＰでは、作動している位置センサを表す２進値に対応している。デジタル情報処理手段２６は、この２進値を、文字盤Ｃの時針及び分針で指示させる位置に対応した０〜６０の値に変換することによって、それらが重合してすなわち重なり合って、扇形部分Ｓ１〜Ｓ１２の１つを指示することができる。
【００２６】
電子制御手段２２はさらに、作動信号がデジタル情報処理手段２６に受け取られてから所定時間後にデジタル情報処理手段２６へ確認信号を送るためのタイマー回路３６を備えている。
また、時計１はディスプレイ装置ＡＦを制御する制御回路３８を備えている。制御回路３８は、デジタル情報処理手段２６から発生した表示すべきデジタル情報に応じた信号を受け取る。
【００２７】
次に、これらの表示すべきデジタル情報はディスプレイ装置ＡＦへ送られて、表示される。
図１及び３に示されている例では、本発明による時計はさらに、４０で示されている音響信号合成回路を備えており、これは電子制御手段２２に接続されている。この回路は、ユーザによるデジタル情報の入力段階中の所定時に作動する。
【００２８】
処理モードでの入力
時計が通常の時間表示モードにあり、解釈回路２８（図１）がピンに加えられた圧力に対応した起動信号を制御手段２４の入力部ＡＮへ送ると、制御手段２４は出力部Ｃに信号を発生して、切換器３０及び３２を状態ｂ（図１）にする、すなわち、カウンタ８及び１２から送られるパルスを遮断する。同時に、電子制御手段２２は、カウンタ８及び１２の内容を読み取って、分針及び時針の位置を知る。デジタル情報の選択は、時計１のユーザが、そのデジタル情報に対応した位置センサを作動させる（段階Ｃ）ことによって行われる。例えば、ユーザがまずデジタル情報の「５」を選択したい場合、指を扇形部分Ｓ６内の位置センサ５６の上に載せる。入力部ＣＰへ送られた２進値をデジタル情報処理手段２６が読み取って、扇形部分Ｓ６内の数字「５」を指示することができるように、それを文字盤Ｃ上の時針及び分針の位置に対応した値に変換する。
【００２９】
デジタル情報処理手段２６がこの後者の値をモータ制御手段２４へ送ることによって、針を扇形部分Ｓ６内で重合させるために必要な数のパルスを出力部Ｍｍｎ及びＭｈに発生させて、図４の段階Ｄに示されているように、文字盤にデジタル情報「５」を表示できるようになる。この表示は数字「５」の選択の確認に相当するものであり、ユーザは所望のデジタル情報を簡単で効果的な方法で選択することができる。
【００３０】
文字盤上の２つの重合した針による、処理モードでのデジタル情報の選択の確認を、ユーザはこのように直ちにはっきり感知することができる。さらに、針のこの配置は、文字盤のこの領域では異常であるから、時間の表示と混乱することは決してないことに注意されたい。
ここで、図４及び５に示されている実施形態の場合、針が重合状態で特定のデジタル情報を表示するため、それが与える確認が明白であることにも注意されたい。
【００３１】
ユーザが位置センサ５１〜６２の１つを作動させることによってデジタル情報を選択した後、デジタル情報処理手段２６は、この情報に対応した信号を制御回路３８へ送って、ディスプレイ装置ＡＦで情報を表示できるようにする。図４の段階Ｄに示されている場合、ユーザによる数字「５」の選択の補助確認を行うため、デジタル情報「５」が表示される。
【００３２】
ユーザが位置センサ５１〜６２の１つを作動させた時、デジタル情報処理手段２６は高レベルの信号をタイマー回路３６へ送る。作動したセンサが同じである間、この信号は高レベルのままであり、タイマー回路３６が時間の分をカウントし始める。例えば、ユーザが別の位置センサを作動させると、低レベルのパルスがデジタル情報処理手段２６からタイマー回路３６へ送られて、タイマー回路はその作動を再開する前にゼロにリセットされる。
【００３３】
位置センサ５１〜６２の１つが作動した後、デジタル情報処理手段２６は、タイマー回路３６によってこの作動から所定時間、例えば１秒間が経過したことが決定されるまで、待機モードになっている。
【００３４】
デジタル情報処理手段２６は、この場合、ユーザが所望のデジタル情報を選択したと見なして、このデジタル情報に対応した値をメモリ（図示せず）に記録して処理できるようにする。この記録時に、デジタル情報処理手段２６が制御回路４０を作動させることによって、音響信号が発生する。このように、選択されたデジタル情報の入力がユーザに示され、ユーザは次に進んで、次のデジタル情報の入力を選択することができる。
【００３５】
図４の例では、この次の段階が、デジタル情報「−」の選択及び入力である。押しボタンＰＳ１が作動すると、デジタル情報処理手段２６へパルスが送られて、これらの２つの扇形部分６１及び６２に対応した４つのデジタル情報（扇形部分６１には「＋」及び「−」、扇形部分６２には「ｘ」及び「÷」）の表示の違いを検出できるようにする。
【００３６】
押しボタンＰＳ１を作動させてから、ユーザの指を位置センサ６１の上に載せることは、デジタル情報「−」の選択をデジタル情報処理手段２６に指示する。指を位置センサ６１の上に載せる前に押しボタンＰＳ１を作動させない場合、デジタル情報処理手段２６はこれをデジタル情報「＋」の選択であると処理する。同様に、押しボタンＰＳ１の作動の後に、ユーザの指を位置センサ６２の上に載せることは、２進情報の「ｘ」の選択であると解釈されるのに対して、押しボタンＰＳ１を作動させないで指を位置センサ６２の上に載せることは、デジタル情報「÷」の選択であると解釈される。
このように、図４の段階Ｅにおいて、ユーザがユーザが押しボタンＰＳ１を作動させてから、指を位置センサ６１の上に載せることによって、デジタル情報「−」を選択することができる。
【００３７】
入力部ＣＰに存在する２進値をデジタル情報処理手段２６が読み取って、扇形部分Ｓ１１内の演算子「−」を指示するように、文字盤Ｃ上の時針及び分針の位置に対応した値に変換する。デジタル情報処理手段２６がこの後者の値をモータ制御手段２４へ送ることによって、モータ制御手段２４は、デジタル情報「−」の選択を確認できるように針を扇形部分Ｓ１１内の重合位置へ移動させる（段階Ｆ）ために必要な数のパルスを出力部Ｍｍｎ及びＭｈに発生する。同時に、ユーザが演算子「−」を正確に選択したことを補助的に確認するため、デジタル情報「−」がディスプレイ装置ＡＦに表示される。
【００３８】
位置センサ６１が作動してから１秒が経過したことをタイマー回路３６が測定した後、デジタル情報処理手段２６は、このデジタル情報に対応した値をメモリ（図示せず）に記録して、処理する。この記録時に、デジタル情報処理手段２６は、このデジタル情報の入力をユーザに知らせるために第２音響信号が発生するように、制御回路４０を作動させる。
【００３９】
図５の段階Ｇ及びＨにおいて、段階Ｃ及びＤについて説明したようにして、２進情報「４」を選択して入力する。
次に、押しボタンＰＳ２を作動させている間に、段階Ｃ及びＨで行われた演算「５−４」の結果がデジタル情報処理手段２６で計算される。その結果がディスプレイ装置ＡＦに表示される。最後になるが、ピンに圧力を加えて、処理モードの終了を示す（段階Ｊ）とすぐに、時計はそれの時間表示モード（段階Ａ）に戻る。
【００４０】
最後に、本発明による時計には、発明の精神の範囲内において幾つかの変更を加えることができることに注意されたい。例えば、本発明は、電話や、呼び出す番号の選択及び入力を必要とする他の通信手段を含む装置に使用することができる。
【図面の簡単な説明】
【図１】  本発明によるアナログ表示式時計の一例の概略回路図である。
【図２】  図１の概略的回路図に組み込まれた位置センサの一例の概略回路図である。
【図３】  本発明の好適な実施形態の時計の平面図である。
【図４】  図１の概略回路図を組み込んだ本発明による時計によって実行される様々な機能の流れ図である。
【図５】  図１の概略回路図を組み込んだ本発明による時計によって実行される様々な機能の流れ図である。
【符号の説明】
１８、２０  ステップモータ
２２  電子制御手段
２４  モータ制御手段
３６  タイマー回路
４０  音響信号合成回路
５１〜６２  位置センサ
【図１】
0003751059.tif 000002
【図２】
0003751059.tif 000003
【図３】
0003751059.tif 000004
【図４】
0003751059.tif 000005
【図５】
0003751059.tif 000006